(57)【要約】  方法は、無線端末内の高周波（ＲＦ）電力増幅器の予測的且つ連続的な電源電圧の調節を提供する。ＲＦ電力増幅器の効率を最大にするために無線端末の電圧コンバータを連続的に制御するように、電圧値を予測的に判定する。判定された電圧値に基づいて制御信号を出力し、この制御信号に応答し、電圧コンバータが無線端末の電源電圧を電力増幅器に出力する。以上の構成は、電池寿命を改善するために、セルラーハンドセットに対する特別な適用性を具備している。【選択図】図１
2008517507.tif 000002
【特許請求の範囲】
【請求項１】
無線端末内の電力増幅器の電源電圧を調節する方法において、
前記無線端末の電圧コンバータを継続的に制御するように、電圧値を予測的に判定する段階と、
前記判定された電圧値に基づいて制御信号を出力する段階と、
を有しており、
前記電圧コンバータは、前記制御信号に応答し、所定のパワーレベルにおいて前記電力増幅器の前記電源電圧を最小にするように前記電力増幅器に対して出力する方法。
【請求項２】
前記電圧コンバータは、前記無線端末の電池から入力電圧を受領するＤＣ−ＤＣコンバータであり、前記判定された電圧値は、前記電力増幅器の電流の流出を最小にする請求項１記載の方法。
【請求項３】
前記電力増幅器は、前記判定された電圧値に対応する所定の線形性要件に対して駆動される請求項１記載の方法。
【請求項４】
前記判定された電圧値は、ルックアップテーブル内に保存された値を具備する伝達関数に基づいて演算される請求項１記載の方法。
【請求項５】
前記判定された電圧値は、伝達関数に基づいて動的に演算される請求項１記載の方法。
【請求項６】
前記電力増幅器は、前記電圧コンバータからの前記出力と、自動利得制御（ＡＧＣ）ロジックからのＡＧＣ信号とに応答し、増幅された信号を出力する請求項１記載の方法。
【請求項７】
前記無線端末は、セルラーシステム内において通信するように、符号分割多元接続（ＣＤＭＡ）を利用している請求項６記載の方法。
【請求項８】
前記無線端末は、セルラー電話機である請求項１記載の方法。
【請求項９】
無線端末内の電力増幅器の電源電圧を調節する命令を保持するコンピュータ可読媒体において、
前記命令は、実行された際に、１つ又は複数のプロセッサに請求項１記載の方法を実行させるように構成されているコンピュータ可読媒体。
【請求項１０】
電力増幅器の電源を駆動するように構成された電圧コンバータと、
所定のパワーレベルにおいて前記電力増幅器の電源電圧を最小にするように、電圧値を予測的に判定して前記電圧コンバータを継続的に制御するように構成されたロジックと、
を有する装置。
【請求項１１】
前記電圧コンバータ及び前記電力増幅器に電力を供給するように構成された電池を更に有しており、
前記電圧コンバータは、前記電池から入力電圧を受領するＤＣ−ＤＣコンバータであり、前記判定された電圧値は、前記電力増幅器の電流の流出を最小にする請求項１０記載の装置。
【請求項１２】
前記電力増幅器は、前記判定された電圧値に対応する所定の線形性要件に対して駆動される請求項１０記載の装置。
【請求項１３】
前記判定された電圧値は、ルックアップテーブル内に保存された値を具備する伝達関数に基づいて演算される請求項１０記載の装置。
【請求項１４】
前記判定された電圧値は、伝達関数に基づいて動的に演算される請求項１０記載の装置。
【請求項１５】
前記ロジックは、前記判定された電圧値を表す制御信号を生成するように構成されたデジタル／アナログコンバータ（ＤＡＣ）を含んでおり、前記制御信号は、前記電圧コンバータに供給される請求項１０記載の装置。
【請求項１６】
前記電力増幅器は、符号分割多元接続（ＣＤＭＡ）を利用するセルラーシステム上において伝送される出力信号を生成する請求項１５記載の装置。
【請求項１７】
電力増幅器の電源を駆動する電圧変換手段と、
所定のパワーレベルにおいて前記電力増幅器の電源電圧を最小にするように、電圧値を予測的に判定することによって前記電圧コンバータを継続的に制御する手段と、
を有する装置。
【請求項１８】
前記電圧変換手段及び前記電力増幅器に電力を供給する電源を更に有しており、
前記電圧変換手段は、前記電源から入力電圧を受領するＤＣ−ＤＣコンバータであり、前記判定された電圧値は、前記電力増幅器の電流の流出を最小にする請求項１７記載の装置。
【請求項１９】
前記電源は、電池である請求項１７記載の装置。
【請求項２０】
前記電力増幅器は、前記判定された電圧値に対応する所定の線形性要件に対して駆動される請求項１７記載の装置。
【請求項２１】
前記判定された電圧値は、ルックアップテーブル内に保存された値を具備する伝達関数に基づいて演算される請求項１７記載の装置。
【請求項２２】
前記判定された電圧値は、伝達関数に基づいて動的に演算される請求項１７記載の装置。
【請求項２３】
前記判定された電圧値を表す制御信号を生成するデジタル／アナログ変換手段を更に有しており、前記制御信号は、前記電圧変換手段に供給される請求項１７記載の装置。
【請求項２４】
前記電力増幅器は、符号分割多元接続（ＣＤＭＡ）を利用するセルラーシステム上において伝送される出力信号を生成する請求項２３記載の装置。
【請求項２５】
セルラーハンドセット内における通話時間を延長する方法において、
前記セルラーハンドセットの送信機の自動利得制御（ＡＧＣ）ロジックを通じて可変電源電圧を予測的に判定する段階と、
線形動作のために前記セルラーハンドセットの送信機の電力増幅器に前記可変電源電圧を継続的に印加する段階であって、前記可変電源電圧は、前記送信機の電力増幅器における電流の流出を最小にするように設定されている、段階と、
を有する方法。
【請求項２６】
前記送信機の電力増幅器は、前記セルラーハンドセットの電池から電力を供給されている請求項２５記載の方法。
【請求項２７】
前記セルラーハンドセットは、符号分割多元接続（ＣＤＭＡ）ネットワーク、時分割多元接続（ＴＤＭＡ）ネットワーク、又は世界移動通信規格（ＧＳＭ）ネットワークを含むセルラーシステム内において動作する請求項２６記載の方法。
【請求項２８】
セルラーシステム内において動作する装置において、
送信機の電力増幅器の可変電源電圧を予測的に判定するように構成された送信機の自動利得制御（ＡＧＣ）ロジックと、
線形動作のために前記可変電源電圧を前記送信機の電力増幅器に継続的に印加するように構成された電圧コンバータであって、前記可変電源電圧は、前記送信機の電力増幅器における電流の流出を最小にするように設定されている、電圧コンバータと、
を有する装置。
【請求項２９】
前記電圧コンバータに結合された電池を更に有する請求項２８記載の装置。
【請求項３０】
前記セルラーシステムは、符号分割多元接続（ＣＤＭＡ）ネットワーク、時分割多元接続（ＴＤＭＡ）ネットワーク、又は世界移動通信規格（ＧＳＭ）ネットワークを含む請求項２９記載の装置。
【請求項３１】
無線端末内の電力増幅器の電源電圧を調節する方法において、
連続的な制御のために制御電圧を予測的に出力するように構成されたプロセッサから前記制御電圧を受領する段階と、
前記制御電圧に応答し、電流の流出を最小にするように、出力電圧を生成することによって前記電力増幅器の前記電源電圧を可変制御する段階と、
を有する方法。
【請求項３２】
前記プロセッサは、自動利得制御（ＡＧＣ）体系を実行して前記制御電圧を出力する請求項３１記載の方法。
【請求項３３】
前記電力増幅器は、電池から電力を供給されている請求項３１記載の方法。
【請求項３４】
セルラーハンドセット内において使用する装置において、
連続的な制御のために制御電圧を予測的に出力するように構成されたプロセッサから前記制御電圧を受領する手段と、
前記制御電圧に応答し、電流の流出を最小にするように、出力電圧を生成することによって電力増幅器の電源電圧を可変制御する手段と、
を有する装置。
【請求項３５】
前記プロセッサは、自動利得制御（ＡＧＣ）体系を実行して前記制御電圧を出力する請求項３４記載の装置。
【請求項３６】
前記電力増幅器に電力を供給する電池を更に有する請求項３４記載の装置。
【発明の詳細な説明】
【技術分野】
【０００１】
本発明は、通信に関するものであり、更に詳しくは、高周波（ＲＦ）システムにおける効率的な伝送の提供に関するものである。
【背景技術】
【０００２】
セルラーシステムなどの無線通信システムは、ユーザーが移動を伴うときに便利である。この便利さにより、ビジネス及び個人的な使用において一般的な通信の形態として消費者に広く利用されるようになっている。セルラーサービスプロバイダは、例えば、機能強化されたネットワークサービス及びアプリケーションを開発することにより、この状況を更に加速させている。この結果、モバイル装置（例えば、セルラー電話機）の製造者は、益々小型化するフォームファクタに益々増大する機能を継続的に追加することを要求されている。例えば、既に進化している電話通信及びデータ能力以外に、これらの装置は、デジタルカメラの機能やゲームアプリケーションなどのその他の高度な機能及びアプリケーションを包含可能である。フォームファクタを低減しつつ機能を拡大するという目標は、モバイル装置の電源システムの設計と矛盾している（この場合には、通常、機能が増大するにつれて、必要な電池の消費量が大きくなっている）。しかしながら、消費者は、更に大きな能力と共に、同一の（又は、場合によっては、更に長時間の）電話機の動作（即ち、更に長い通話時間の提供）を期待している。従って、競争力を確保するには、製造者は、この更に長い電池寿命に対する継続的に拡大する要求に応える必要がある。
【０００３】
従来、電池寿命における進歩は、主に電池の製造者によってもたらされてきた。残念ながら、電池技術における著しい進歩は、化学及び材料工学における飛躍的な進展を必要としている。このような化学及び材料工学における進歩は、モバイル通信産業における発展特性と比べて大幅に立ち遅れている。即ち、電池技術の開発サイクルは、モバイル電話機技術の開発サイクルに追随できていないのである。
【発明の開示】
【発明が解決しようとする課題】
【０００４】
従って、電池寿命を改善することができる伝送効率の改善方法に対するニーズがある。
【課題を解決するための手段】
【０００５】
これら及びその他のニーズは、高周波（ＲＦ）電力増幅器（ＰＡ）の所定の出力パワーレベルにおける線形性の限度に到達するための継続的に可変且つ予測的な電池電圧調節方法を提示する本発明によって解決される。この方法は、無線端末（例えば、セルラーハンドセット又は電話機やコードレス電話機など）の送信機（ＴＸ）の自動利得制御部（ＡＧＣ）内に実装可能であり、このＴＸのＡＧＣは、ＴＸのＲＦ電力増幅器に印加されるＤＣ電源電圧を変化させる信号を継続的に制御している。本発明の一実施例によれば、ＤＣ−ＤＣコンバータを使用することにより、継続的に可変であるＤＣ電力増幅器の電源電圧の制御を実現している。無線端末のＴＸのＡＧＣにより、ＤＣ−ＤＣコンバータの出力電圧を制御している。ＤＣ電圧が、その振幅を変化させることにより、それぞれのパワーレベルにおける仕様を満足するのにちょうど十分な電力増幅器の線形性を実現している。この制御電圧は、事実上、ＴＸのＡＧＣ体系の不可欠な部分を構成しており、且つ、継続的に可変である方式において、デジタル／アナログコンバータ（ＤＡＣ）を使用することよって制御可能である。制御電圧の伝達関数は、予測的であると共に、ルックアップテーブル内に保存するか又は高次方程式から動的に導出可能である。無線端末は、必要なＲＦ出力パワーを設定するための基地局からの要求を処理しつつ、この方程式を取得し、且つ、ＤＣ−ＤＣコンバータ用の必要な制御電圧を再計算可能である。このような構成は、所定のＲＦ出力におけるＲＦ電力増幅器の効率を最大にすることにより、電池寿命を有利に延長している。又、この方法は、ソフトウェアを通じて容易に実施可能であり、この結果、高価なハードウェアの変更の回避が可能である。
【０００６】
本発明の一実施例の一態様によれば、無線端末内の電力増幅器の電源電圧を調節する方法が開示されている。この方法は、無線端末の電圧コンバータを継続的に制御するように、予測的に電圧値を判定する段階を含んでいる。又、本方法は、判定された電圧値に基づいて制御信号を出力する段階をも含んでおり、この場合に、電圧コンバータは、制御信号に応答し、所定のパワーレベルにおいて電力増幅器の電源電圧を最小にするように、電力増幅器に対して出力する。
【０００７】
本発明の一実施例の別の態様によれば、装置は、電力増幅器の電源を駆動するように構成された電圧コンバータを含んでいる。更には、本装置は、所定のパワーレベルにおいて電力増幅器の電源電圧を最小にするために、電圧値を予測的に判定することによって電圧コンバータを継続的に制御するように構成されたロジックを含んでいる。
【０００８】
本発明の一実施例の別の態様によれば、装置は、電力増幅器の電源を駆動する電圧変換手段を含んでいる。又、本装置は、所定のパワーレベルにおいて電力増幅器の電源電圧を最小にするように、電圧値を予測的に判定することによって電圧コンバータを継続的に制御する手段をも含んでいる。
【０００９】
本発明の一実施例の別の態様によれば、セルラーハンドセットの通話時間を延長する方法が開示されている。この方法は、セルラーハンドセットの送信機の自動利得制御（ＡＧＣ）ロジックを通じて可変電源電圧を予測的に判定する段階を含んでいる。又、本方法は、線形動作のために、可変電源電圧をセルラーハンドセットの送信機の電力増幅器に継続的に印加する段階をも含んでおり、この場合に、可変電源電圧は、送信機の電力増幅器における電流の流出を最小にするように設定されている。
【００１０】
本発明の一実施例の別の態様によれば、セルラーシステム内において動作する装置が開示されている。この装置は、送信機の電力増幅器の可変電源電圧を予測的に判定するように構成された送信機の自動利得制御（ＡＧＣ）ロジックを含んでいる。更には、本装置は、線形動作のために送信機の電力増幅器に可変電源電圧を継続的に印加するように構成された電圧コンバータを含んでおり、この場合に、可変電源電圧は、送信機の電力増幅器の電流の流出を最小にするように設定されている。
【００１１】
本発明の一実施例の別の態様によれば、無線端末内において電力増幅器の電源電圧を調節する方法が開示されている。この方法は、継続的な制御のために制御電圧を予測的に出力するように構成されたプロセッサから制御電圧を受領する段階を含んでいる。又、本方法は電流の流出を最小にするように、制御電圧に応答して出力電圧を生成することによって電力増幅器の電源電圧を可変制御する段階をも含んでいる。
【００１２】
本発明の一実施例の更に別の態様によれば、セルラーハンドセット内において使用される装置が開示されている。この装置は、継続的な制御のために制御電圧を予測的に出力するように構成されたプロセッサから制御電圧を受領する手段を含んでいる。又、本装置は、電流の流出を最小にするように、制御電圧に応答して出力電圧を生成することにより、電力増幅器の電源電圧を可変制御する手段をも含んでいる。
【００１３】
本発明の更にその他の態様、特徴、及び利点については、以下の詳細な説明を参照することにより、容易に明らかとなろう。但し、以下の説明は、本発明を実施するように考案された最良の形態を含むいくつかの特定の実施例及び実現方法を単に例示しているものに過ぎない。又、本発明は、その他の様々な実施例も可能であり、本発明の精神及び範囲を逸脱することなしに、様々な明らかな側面において、そのいくつかの詳細事項を変更可能である。従って、添付の図面及び以下の説明は、その特性において、例示を目的としたものであり、限定を目的としたものと見なすべきではない。
【発明を実施するための最良の形態】
【００１４】
本発明は、限定を目的としてではなく、一例として、添付図面の各図に示されており、これらの図面内においては、同じ参照符号によって同じ要素を示している。
【００１５】
無線端末の電力増幅器の電源電圧の調節を予測的に判定する装置、方法、及びソフトウェアについて説明する。尚、以下の記述においては、説明を目的とし、本発明を十分に理解できるように、多数の特定の詳細事項について記述している。しかしながら、当業者には、これらの特定の詳細事項を伴うことなしに、或いは、等価な構成において、本発明を実施可能であることが明らかである。その他の例においては、本発明を不必要にわかりにくくすることを回避するように、周知の構造及び装置をブロック図の形で示している。
【００１６】
図１は、本発明の一実施例による無線端末１００の送信機チェーンの図である。無線端末１００は、図２のセルラーシステムなどの様々な無線通信システム内において動作可能である。一例として、無線端末１００は、セルラーハンドセット（又は、電話機）、コードレス電話機、モバイル送信機、固定無線送信機、無線携帯情報端末（ＰＤＡ）、無線モデム、又はポケットベル（登録商標）として実施可能である。無線端末１００は、アルゴリズム的な方法を採用しており、高周波（ＲＦ）電力増幅器の電力消費量を最小にすることにより、効率的な伝送を提供している。この方法は、更に詳しく後述するように、継続的に予測的である変化する電力増幅器の電源電圧を印加することにより、電力増幅器のＤＣ電源電圧を調節する送信機（ＴＸ）の自動利得制御（ＡＧＣ）体系を通じて実施可能である。尚、本発明については、説明を目的とし、図２に示されているセルラーネットワーク内において動作するセルラーハンドセットとの関連において説明することとする。
【００１７】
図２は、図１の無線端末をサポートする能力を有するセルラーシステム２００の図である。セルラーシステム２００は、概念的に、六角形の周波数パターンを構成するセル２０１を有するものと見なすことができる。セルラーシステム２００は、アナログシステム又はデジタルシステムであってよく、符号分割多元接続（ＣＤＭＡ）、時分割多元接続（ＴＤＭＡ）、世界移動通信規格（ＧＳＭ）等の任意の数の規格又は技術を採用している。通常、１つの基地局２０３が１つのセル２０１を定義しており、このセルは、実際のシステム内においては、地形及び能力要件に応じてそのサイズが変化する。基地局２０３は、セルラー電話機２０５と通信しており、セルラースイッチ２０７との関連において通話を処理している。セルラースイッチ２０７は、セルラー電話機２０５がセル間を横断した際の基地局２０３間におけるチャンネル切り換え（ハンドオフ）の責任を担っている。又、セルラースイッチ２０７は、公衆交換電話網（ＰＳＴＮ）等のその他の電話通信網２０９に対する接続をも提供している。
【００１８】
図１の無線端末１００を再度参照すれば、送信機チェーンの主要なコンポーネントは、ＲＦ電力増幅器１０１であり、これは、例えば、ＤＣ−ＤＣコンバータ１０３によって駆動されている。ＤＣ−ＤＣコンバータ１０３は、電源１０５からＤＣ（直流）入力電圧を受領し、印加される制御信号に比例したＤＣ出力電圧を生成している。セルラーハンドセットのアプリケーションにおいては、電源１０５は電池であり、この電池は、模範的な実施例においては、リチウム−イオン技術を利用しており、且つ、７２０ｍＡｈを上回る容量を有している。この例においては、ベースバンド及びデジタル信号プロセッサ（ＤＳＰ）ブロック（又は、回路）１０７が、制御電圧（Ｖcontrol）を生成することにより、ＤＣ−ＤＣコンバータ１０３を制御している。尚、無線端末１００については、ＤＣ−ＤＣコンバータ１０３との関連において説明しているが、入力制御電圧に応答して高効率（約７５％以上の変換効率）でＤＣ出力電圧を出力する任意のコンポーネントを利用可能であることを認識されたい。
【００１９】
ベースバンド及びＤＳＰブロック１０７は、アップコンバータ及びドライバ増幅器回路１０９との関連において、送信機のＡＧＣ体系を実現している。ベースバンド及びＤＳＰブロック１０７は、デジタル／アナログコンバータ（ＤＡＣ）１１１を含んでいる。アップコンバータ及びドライバ増幅器回路１０９は、アップコンバージョン済みの伝送信号を送信機（ＴＸ）フィルタ１１３に出力している。ＴＸフィルタ１１３は、アップコンバージョン済みの信号を成形することにより、雑音を削減し、不必要な周波数を除去している。次いで、フィルタリング済みの信号を電力増幅器１０１によって増幅している。送受信切替器（デュープレクサ）１１５は、増幅済みの信号を受信し、アンテナ１１７上においてエネルギーを放射している。デュープレクサ１１５は、アンテナ１１７上におけるＲＦ信号の同時送受信を実現している。
【００２０】
図３は、制御電圧を予測的に判定することにより、図１の無線端末内のＲＦ電力増幅器の電源電圧を最小にするプロセスのフローチャートである。ステップ３０１において、ベースバンド及びＤＳＰブロック１０７は、所定のＲＦ出力パワーにおいて電源電圧を最小にして線形性要件を満足させるように、制御電圧値（Ｖcontrol）を予測的に判定している。次いで、ステップ３０３において、このＶcontrolがＤＣ−ＤＣコンバータ１０３に供給されている。ＤＣ−ＤＣコンバータ１０３は、アナログ出力電圧制御（Ｖpa）を具備しており、これが、電力増幅器１０１の低減された電流による動作を提供している（ステップ３０５）。
【００２１】
ＤＣ−ＤＣコンバータ１０３の出力電圧は、ＴＸのＡＧＣ体系によって制御されている。このＤＣ電圧は、振幅を変化させることにより、それぞれのＲＦ出力パワーレベルにおいて仕様を満足するのに十分な電力増幅器の線形性を得ている。これとは対照的に、従来においては、電力増幅器は、通常、仕様を上回る線形性マージンを具備するように駆動されており、この結果、増幅器の動作が非効率的なものになっている。この制御電圧（これは、ＤＳＰソフトウェアによってアルゴリズム的に制御されている）は、ＴＸのＡＧＣ体系の不可欠な部分を構成しており、且つ、例えば、ベースバンド及びＤＳＰ回路１０７のＤＡＣ１１１を使用することにより、継続的に制御されている。
【００２２】
制御電圧の伝達関数は、予測的であり、ルックアップテーブル（ＬＵＴ）１１９内に保存されているか又は高次方程式から導出される。模範的な方程式（Ｎ次多項式）は、次の通りである。
Ｖcontrol＝Ａn＊［Ｐout（ｄＢｍ）］n＋Ａn-1＊［Ｐout（ｄＢｍ）］n-1＊Ａ1＊Ｐout（ｄＢｍ）＋Ａ
【００２３】
ここで、Ａn、Ａn-1、Ａ1、及びＡは、多項式の係数である。これらの係数は、メモリ（図示されてはいない）内に保存可能であり、且つ、所定の値が得られるまで変化するＶcontrolによって適応的に学習可能である。無線端末１００は、所望の出力パワーを設定するための要求を処理しつつ、（例えば、ＬＵＴ１１９を通じて）方程式を取得し、ＤＣ−ＤＣコンバータ１０３用の必要な制御電圧を再計算可能である。
【００２４】
ステップ３０７において、電力増幅器１０１は、ＤＣ−ＤＣコンバータ１０３から供給されるＶpaと、アップコンバータブロック１０９に供給されるＶAGCとに従って、アンテナ１１７を通じて信号を伝送するように、Ｐoutを出力する。
【００２５】
以上のプロセスは、図２のセルラーネットワーク２００内において動作するセルラーハンドセットに適用された際に、必要な増幅器の線形性要件を満足しつつ、電力増幅器１０１による電力消費量を有利に最小にし、これにより、通話時間を改善する。基本的に、このプロセスは、線形性マージンを電流の節約に変換することにより、改善された電力増幅器の効率を実現している。
【００２６】
この効率的な電力管理の実現について更に十分に理解するには、図４に示されているような電力増幅器１０１の電源電圧（Ｖcc）の変化図を検討することが有益であろう。この例は、図３に示されている方法を使用することによって導出されたサンプルＶpaの変化図を示している。
【００２７】
図５は、本発明の一実施例による電力増幅器の電流の節約を示すグラフである。図示されているように、曲線５０１は、電源電圧の調節を有していない場合に電力増幅器１０１によって引き出される電流を表している。曲線５０３は、図３のプロセスを使用して調節された電源電圧を表している。電流の節約は、所定のパワーレベルにおいて略１００ｍＡであり、この結果、７０〜８０％の平均的な電流の節約が実現されている。
【００２８】
以上において詳述した予測的なアルゴリズムは、様々なハードウェア及び／又はソフトウェア構成を通じて実行可能である。実際に、この方法は、ソフトウェアの変更のみによって容易に実施することも可能であり、この結果、高価なハードウェアの変更を回避可能である。
【００２９】
図６は、本発明による実施例を実施可能な模範的なハードウェアを示している。演算システム６００は、情報を伝達するバス６０１又はその他の通信メカニズムと、情報を処理するようにバス６０１に結合されているプロセッサ６０３とを含んでいる。又、演算システム６００は、情報と、プロセッサ６０３によって実行される命令と、を保存するようにバス６０１に結合されているランダムアクセスメモリ（ＲＡＭ）又はその他の動的な記憶装置等のメインメモリ６０５をも含んでいる。メインメモリ６０５は、プロセッサ６０３による命令の実行の際に、一時的な変数又はその他の中間的な情報を保存するように使用することも可能である。演算システム６００は、静的な情報と、プロセッサ６０３用の命令とを保存するようにバス６０１に結合されている読み出し専用メモリ（ＲＯＭ）６０７又はその他の静的な記憶装置を更に包含可能である。情報及び命令を永続的に保存するように、磁気ディスク又は光ディスク等の記憶装置６０９がバス６０１に結合されている。
【００３０】
演算システム６００は、バス６０１を介して情報をユーザーに対して表示する液晶ディスプレイ又はアクティブマトリックスディスプレイなどのディスプレイ６１１に結合可能である。情報及び命令選択内容をプロセッサ６０３に対して伝達するように、英数及びその他のキーを含むキーボードなどの入力装置６１３をバス６０１に結合可能である。入力装置６１３は、方向情報及び命令選択内容をプロセッサ６０３に対して伝達し、且つ、ディスプレイ６１１上におけるカーソルの移動を制御するように、マウス、トラックボール、又はカーソル方向キー等のカーソル制御装置を包含可能である。
【００３１】
本発明の一実施例によれば、演算システム６００は、プロセッサ６０３が、メインメモリ６０５内に収容されている一連の命令を実行することに応答し、図３のプロセスを提供可能である。このような命令は、ストレージ装置６０９等の別のコンピュータ可読媒体からメインメモリ６０５内に読み込み可能である。メインメモリ６０５内に収容された一連の命令を実行することにより、プロセッサ６０３は、本明細書に記述されているプロセス段階を実行することになる。マルチ処理構成における１つ又は複数のプロセッサを利用することにより、メインメモリ６０５内に収容されている命令を実行することも可能である。代替実施例においては、本発明の実施例を実施するように、ソフトウェア命令の代わりに（又は、これとの組み合わせにおいて）、ハードワイヤード回路を使用可能である。別の例においては、フィールドプログラマブルゲートアレイ（ＦＰＧＡ）等の再構成可能なハードウェアを使用可能であり、この場合には、通常、メモリルックアップテーブルをプログラミングすることにより、そのロジックゲートの機能及び接続トポロジーを実行時にカスタマイズ可能である。従って、本発明の実施例は、ハードウェア回路とソフトウェアの任意の特定の組み合わせに限定されるものではない。
【００３２】
演算システム６００は、バス６０１に結合された少なくとも１つの通信インタフェース６１５をも含んでいる。通信インタフェース６１５は、ネットワークリンク（図示されてはいない）に結合する双方向のデータ通信を提供している。通信インタフェース６１５は、様々なタイプの情報を表すデジタルデータストリームを搬送する電気的、電磁気的、又は光学的信号を送受信する。更には、通信インタフェース６１５は、ユニバーサルシリアルバス（ＵＳＢ）インタフェースやＰＣＭＣＩＡ（パソコンメモリカード国際協会）インタフェースなどの周辺インタフェース装置を包含可能である。
【００３３】
プロセッサ６０３は、コードを受信しつつ、伝送されたコードを実行すると共に／又は、後で実行するように記憶装置６０９又はその他の不揮発性メモリ内にコードを保存可能である。このようにして、演算システム６００は、搬送波の形態においてアプリケーションコードを取得可能である。
【００３４】
本明細書に使用されている「コンピュータ可読媒体」という用語は、実行するためのプロセッサ６０３に対する命令の提供に関与する任意の媒体を意味している。このような媒体は、不揮発性媒体、揮発性媒体、及び伝送媒体を含む（但し、これらに限定されない）多くの形態をとることができる。不揮発性媒体は、例えば、記憶装置６０９等の光学又は磁気ディスクを含んでいる。揮発性媒体は、メインメモリ６０５などの動的なメモリを含んでいる。伝送媒体は、バス６０１を有するワイヤを含む同軸ケーブル、銅線、及び光ファイバを含んでいる。又、伝送媒体は、高周波（ＲＦ）及び赤外線（ＩＲ）データ通信の際に生成されるものなどの音響的、光学的、又は電磁気的な波の形態をとることも可能である。コンピュータ可読媒体の一般的な形態は、例えば、フロッピー（登録商標）ディスク、フレキシブルディスク、ハードディスク、磁気テープ、任意のその他の磁気媒体、ＣＤ−ＲＯＭ、ＣＤＲＷ、ＤＶＤ、任意のその他の光学媒体、パンチカード、紙テープ、光学マークシート、孔又はその他の光学的に認識可能な標識のパターンを有する任意のその他の物理的媒体、ＲＡＭ、ＰＲＯＭ、及びＥＰＲＯＭ、ＦＬＡＳＨ−ＥＰＲＯＭ、任意のその他のチップ又はカートリッジ、搬送波、又はコンピュータが読み取り可能な任意のその他の媒体を含んでいる。
【００３５】
様々な形態のコンピュータ可読媒体が、実行するためのプロセッサに対する命令の提供に関与可能である。例えば、本発明の少なくとも一部を実行する命令は、当初、リモートコンピュータの磁気ディスク上に保持可能である。このようなシナリオにおいては、リモートコンピュータは、命令をメインメモリ内に読み込み、モデムを使用することにより、この命令を電話回線を介して送信する。ローカルシステムのモデムが、このデータを電話回線を介して受信し、赤外線送信機を使用してデータを赤外線信号に変換し、且つ、この赤外線信号を携帯情報端末（ＰＤＡ）又はラップトップなどの携帯型演算装置に伝送する。携帯型演算装置の赤外線検出器が、この赤外線信号が保持している情報及び命令を受信し、このデータをバス上に配置する。バスは、このデータをメインメモリに搬送し、プロセッサが、このメモリから命令を受信し、実行する。メインメモリによって受信された命令は、任意選択により、プロセッサによる実行の前又は後において、記憶装置内に保存可能である。
【００３６】
以上、いくつかの実施例及び実現方法との関連において本発明について説明したが、本発明は、これらに限定されるものではなく、添付の請求項の範囲に属する様々な明らかな変更及び等価な構成を包含している。
【図面の簡単な説明】
【００３７】
【図１】本発明の一実施例による無線端末の送信機チェーンの図である。
【図２】図１の無線端末をサポートする能力を有するセルラーシステムの図である。
【図３】制御電圧を予測的に判定することにより、図１の無線端末内の高周波（ＲＦ）電力増幅器の電源電圧を最小にするプロセスのフローチャートである。
【図４】図１の無線端末内において使用される電力増幅器の模範的な電源電圧（Ｖｃｃ）の変化を示すグラフである。
【図５】本発明の一実施例による電力増幅器の電流の節約を示すグラフである。
【図６】本発明の一実施例を実施するように使用することが可能なハードウェアの図である。
【図１】
2008517507.tif 000003
【図２】
2008517507.tif 000004
【図３】
2008517507.tif 000005
【図４】
2008517507.tif 000006
【図５】
2008517507.tif 000007
【図６】
2008517507.tif 000008
【国際調査報告】
2008517507.tif 000009
2008517507.tif 000010
2008517507.tif 000011
2008517507.tif 000012